(57)【要約】【課題】瓢箪形カムによらずとも蓋体の開閉が可能で、簡素な機構で廉価で製造することができ、特に合成樹脂製のケースに好適なライター用ケースを提供する。【解決手段】ライター用ケース３は、ライター１の内部ユニット２を嵌め込める収納凹部４２を備えたケース本体４と、その端壁４１にヒンジ（ヒンジピン７）を介して開閉自在に取り付けられた蓋体５とを具備する。ケース本体４におけるヒンジ側の端壁４１に沿って設けられたバネ装着溝４３に、板バネ６が、その上端６３をヒンジ側に向かって付勢される状態で揺動自在に装着される。蓋体５にはバネ当接部５２が突設され、その先端が板バネ６の上端６３近傍に当接して、蓋体５の開閉時に板バネ６の上端６３をヒンジから離れる方向へ押し曲げることにより、蓋体５が閉方向及び開方向に付勢される。【選択図】  図２
0003156153.tif 000002
【実用新案登録請求の範囲】
【請求項１】
ライターの内部ユニットを嵌め込むことができる収納凹部を備えたケース本体と、該ケース本体の端壁にヒンジを介して開閉自在に取り付けられた蓋体とを具備するライター用ケースであって、
前記ケース本体におけるヒンジ側の端壁に沿ってバネ装着溝が設けられ、該バネ装着溝に板バネが、その上端をヒンジ側に向かって付勢される状態で揺動自在に保持されるとともに、
前記蓋体におけるヒンジとの軸着部分にはケース本体側へ突出するバネ当接部が設けられ、該バネ当接部の先端が前記板バネの上端近傍に当接して蓋体の開閉時に前記板バネの上端をヒンジから離れる方向へ押し曲げることにより、蓋体が閉方向及び開方向に付勢されるように構成されたことを特徴とするライター用ケース。
【請求項２】
請求項１に記載のライター用ケースにおいて、
バネ装着溝は、収納凹部との間にケース本体の底部から起立する仕切部を隔てて、ケース本体の深さ方向に設けられてなり、このバネ装着溝に上方から板バネが挿し込まれて装着されたことを特徴とするライター用ケース。
【請求項３】
請求項１又は２に記載のライター用ケースにおいて、
板バネは一定幅のバネ鋼片からなり、その下端にはＵ字状の折返部が形成されて、該折返部がバネ装着溝の底部に嵌挿されるとともに、板バネの中間部には「く」字状の屈曲部が収納凹部側へ突出するように形成され、該屈曲部が収納凹部に嵌め込まれるライターの内部ユニットに当接することにより、板バネの上端がヒンジ側に向かって付勢されることを特徴とするライター用ケース。
【請求項４】
請求項１〜３のいずれか一項に記載のライター用ケースにおいて、
バネ当接部の先端部は、その内側面が蓋体の閉状態で板バネの外側面を押圧する一方、その先端面が蓋体の開状態で板バネの外側面を押圧する形状をなすことを特徴とするライター用ケース。
【考案の詳細な説明】
【技術分野】
【０００１】
本考案は、ライター用ケースに関し、より詳細には、特に燃料オイル充填式の内部ユニットが好適に収納されるケース本体と、該ケース本体にヒンジを介して開閉自在に取り付けられた蓋体とを具備するライター用ケースに関する。
【背景技術】
【０００２】
特許文献１、２等に開示されている、従来よく知られたオイル充填式ライターの構造を図７に示す。この種のオイル充填式ライター９は、オイル充填部９１と着火部９２とが一体的に形成された金属製の内部ユニット９３を具備しており、この内部ユニットを金属製のケース９４に収納した状態で使用される。ケース９４は、内部ユニット９３のオイル充填部９１がぴったりと嵌め込まれるケース本体（下ケース）９５と、該ケース本体９５の端壁にヒンジを介して開閉自在に取り付けられる蓋体（上ケース）９６とによって構成される。ケース本体９５と蓋体９６とは、上部が略Ｕ字形に折曲された上側部材９７と短冊状の下側部材９８とをヒンジで軸着してなる金属製の蝶番部材を介して連結される。この蝶番部材は、ケース本体９５及び蓋体９６の内側面に、それぞれ溶接によって固着される。内部ユニット９３におけるヒンジの近傍には、板バネ（図示せず）で付勢された略瓢箪形のカム９９が取り付けられ、このカム９９が蓋体９６の内側に固着された上側部材９７に係合して、蓋体９６を閉方向及び開方向の両方に向かって弾発的に付勢する。
【０００３】
また、特許文献３には、前記のようなオイル充填式ライターのケースを、意匠上の意図から、ポリカーボネイト等の合成樹脂で形成する構成が開示されている。合成樹脂製のケースにあっては、金属製の蝶番部材をケース本体及び蓋体に溶接することができないので、ケース本体及び蓋体の端壁に沿ってそれぞれ形成した挿入溝に蝶番部材を挿し込んで抜け止めを図りつつ、ケース本体と蓋体とを連結する構成を採用している。
【先行技術文献】
【特許文献】
【０００４】
【特許文献１】特表２００３−５２９０４０号公報
【特許文献２】特表２００６−５１９３５６号公報
【特許文献３】特開２００１−１６５４３７号公報
【考案の概要】
【考案が解決しようとする課題】
【０００５】
上記特許文献１〜３に開示された従来のライター用ケースは、いずれも略瓢箪形のカムを板バネで弾発的に付勢する機構を用いて蓋体の開閉操作を実現している。しかし、該機構では、カムの複雑微妙な曲面形状を精度良く加工したり、その曲面形状に合わせて板バネの弾発力を適正に調整したりするのが容易でなく、製造の手間やコストの面で改善の余地がある。
【０００６】
また、ケース本体と蓋体とを連結する蝶番部材を用意して、これをケース本体及び蓋体にそれぞれ固着するための工程も必要になる。ケースが合成樹脂製であれば、特許文献３に示されるような、溶接に替わる固着手段も検討しなければならない。
【０００７】
そこで、本考案は、従来のような瓢箪形のカムを使用せずとも蓋体の開閉操作を快適に行うことができるライター用ケースであって、従来よりも簡素な機構を具備して廉価で製造することができ、特にケースを合成樹脂で形成する場合にも好適なライター用ケースを提供するものである。
【課題を解決するための手段】
【０００８】
上記した目的を達成するため、本考案のライター用ケースは、ライターの内部ユニットを嵌め込むことができる収納凹部を備えたケース本体と、該ケース本体の端壁にヒンジを介して開閉自在に取り付けられた蓋体とを具備するライター用ケースであって、前記ケース本体におけるヒンジ側の端壁に沿ってバネ装着溝が設けられ、該バネ装着溝に板バネが、その上端をヒンジ側に向かって付勢される状態で揺動自在に保持されるとともに、前記蓋体におけるヒンジとの軸着部分にはケース本体側へ突出するバネ当接部が設けられ、該バネ当接部の先端が前記板バネの上端近傍に当接して蓋体の開閉時に前記板バネの上端をヒンジから離れる方向へ押し曲げることにより、蓋体が閉方向及び開方向に付勢されるように構成されたものとして特徴づけられる。
【０００９】
そして、前記バネ装着溝は、収納凹部との間にケース本体の底部から起立する仕切部を隔てて、ケース本体の深さ方向に設けられてなり、このバネ装着溝に上方から板バネが挿し込まれて装着されたものとするのが好ましい。
【００１０】
さらに、前記板バネは一定幅のバネ鋼片からなり、その下端にはＵ字状の折返部が形成されて、該折返部がバネ装着溝の底部に嵌挿されるとともに、板バネの中間部には「く」字状の屈曲部が収納凹部側へ突出するように形成され、該屈曲部が収納凹部に嵌め込まれるライターの内部ユニットに当接することにより、板バネの上端がヒンジ側に向かって付勢されるものとするのが好ましい。
【００１１】
また、前記構成に係るライター用ケースにおいて、バネ当接部の先端部は、その内側面が蓋体の閉状態で板バネの外側面を押圧する一方、その先端面が蓋体の開状態で板バネの外側面を押圧する形状をなすように構成するのが好ましい。
【考案の効果】
【００１２】
上述のように構成される本考案のライター用ケースは、ケース本体におけるヒンジ側の端壁に沿って板バネが装着され、該板バネの上端がヒンジ側に向かって付勢される状態で揺動自在に保持され、蓋体に突設されたバネ当接部が板バネの上端近傍に当接して閉方向及び開方向に付勢されるように構成される。したがって、前記従来のライター用ケースに比べてヒンジ周りの機構を簡素化することができるとともに、板バネに係合させるための部材を蓋体の内側に固着する必要もなくなり、従来よりも廉価で製造することが可能になる。ケース本体における収納凹部のヒンジ側にバネ装着溝を設けて、そこに上方から板バネを挿し込むように構成すれば、ケース本体を合成樹脂で成形するに際しても成形上の無理が生じない。
【００１３】
板バネ自体は、一枚の細長いバネ鋼片の一部を折り返し、あるいは屈曲させるだけで形成することができるので、加工がきわめて容易であり、コストも安くつく。板バネをバネ装着溝へ組み付ける作業も、板バネを押し込むだけでよいから極めて簡単である。
【００１４】
また、前記板バネに係合するのは、蓋体におけるヒンジとの軸着部分からケース本体側へ突出させたバネ当接部であって、このバネ当接部の形状も簡素であるから、蓋体を合成樹脂で成形するのも容易である。
【００１５】
こうして、ヒンジ周りの機構が簡素でありながら、蓋体が好適に開閉動作するライター用ケースを、合成樹脂でも廉価で製造することができる。
【図面の簡単な説明】
【００１６】
【図１】本考案の実施形態に係るライター用ケースをヒンジ側から見た外観斜視図である。
【図２】前記ライター用ケースの内部構造を示す縦断面図である。
【図３】前記ライター用ケースの、図２におけるＡ−Ａ断面図である。（但し、ライターの内部ユニットの図示は省いている。）
【図４】前記ライター用ケースの、図２におけるＢ−Ｂ部分断面図である。
【図５】前記ライター用ケースにおける蓋体及び板バネの組み付け状態を説明する斜視図である。
【図６】前記ライター用ケースにおけるヒンジ周りの細部構造と板バネの作用を示す要部拡大断面図である。
【図７】特許文献１、２に開示された従来公知のオイル充填式ライターの内部構造を示す縦断面図である。
【考案を実施するための形態】
【００１７】
以下、本考案の実施形態について図を参照して説明する。
【００１８】
図１〜図６は、本考案の実施形態に係るライター用ケースの構成を示す。例示のライター１は、内部ユニット２に燃料オイルを充填し、無くなれば補充して繰り返し使用する方式のものである。内部ユニット２は、金属板材によって一体的に形成されたオイル充填部２１及び着火部２２を有し、オイル充填部２１の内側には燃料オイルを含浸させるための綿球（レーヨンボール）が詰められている。着火部２２の側部には着火ホイール２３が回転可能に取り付けられ、この着火ホイール２３には下側から発火石２４が付勢状態で押圧されている。これらの構成は図７に示した従来公知のオイル充填式ライター９と同様であるが、本考案に係るライター１にあっては、前記従来のような瓢箪形のカム９９は用いられていない。
【００１９】
ライター用ケース３は、ケース本体４と蓋体５とからなり、これらはともにＡＢＳ樹脂やポリカーボネイト等の合成樹脂によって形成される。蓋体５は、ケース本体４の一方の端壁４１にヒンジを介して開閉自在に軸着されている。例示形態に係るライター用ケース３は、横断面形状が長円形で、蓋体５を閉じた状態の正面形状が僅かに上拡がりのテーパを有する略矩形となるように形成されるとともに、蓋体５の天面部はシリコン樹脂等からなる別成形部材を嵌め込んで形成されている。
【００２０】
ケース本体４の内側には、上方に開口する収納凹部４２が形成されており、この収納凹部４２に内部ユニット２のオイル充填部２１がぴったりと嵌め込まれる。ケース本体４には、さらに、ヒンジ側の端壁４１に沿って、バネ装着溝４３が設けられている。バネ装着溝４３は、ケース本体４の厚みの略１／３程度の幅を有する縦長の有底凹溝であって、開閉側の端壁４４に比べて増肉されたヒンジ側の端壁４１の、その増肉部分を欠き込むようにして形成されている。バネ装着溝４３と収納凹部４２とは、ケース本体４の底部からケース本体４の深さの略１／３程度まで起立する仕切部４５を介して区切られており、この仕切部４５よりも上方の部分ではバネ装着溝４３と収納凹部４２とが空間的に連通している。
【００２１】
バネ装着溝４３には、その幅に合致する一定幅の細長いバネ鋼片からなる板バネ６が装着されている。板バネ６の下端部には、略Ｕ字状の折返部６１が形成されている。また、板バネ６の中間部には、「く」字状の屈曲部６２が、前記折返部６１とは反対側に突出するように形成されている。この板バネ６がバネ装着溝４３に上方から挿入され、折返部６１をバネ装着溝４３の底部（ヒンジ側の端壁４１と仕切部４５との間）に弾性的に嵌め込むようにして装着される。このとき、屈曲部６２は、仕切部４５を乗り越えて収納凹部４２側へ僅かに突出し、収納凹部４２に嵌め込まれる内部ユニット２の外側面に当接して押し戻される。このような構成により、板バネ６の上端６３がヒンジ側に向かって付勢された状態で、揺動自在に保持されることとなる。
【００２２】
蓋体５は、そのヒンジ側の端壁５１からケース本体４側へ突出するバネ当接部５２を有している。図４に示すように、バネ当接部５２の幅は前記バネ装着溝４３及び板バネ６の幅とほぼ合致しており、バネ当接部５２の横断面形状は蓋体５の内側に開口した溝形をなしている。なお、例示形態にあっては、前記溝形の横断面形状が、ヒンジ側の側壁５１の高さ一杯にわたって延びるように形成されている。
【００２３】
一方、ケース本体４におけるヒンジ側の端壁４１には、前記バネ当接部５２の形状に合致する欠込部４６が形成されている。この欠込部４６に蓋体５のバネ当接部５２が挿し込まれ、ケース本体４の厚み方向に挿入されるヒンジピン７を介して、蓋体５がケース本体４に軸着される。蓋体５を閉じた状態では、バネ当接部５２の外側曲面がケース本体４の外側曲面と連続するように形成されている。
【００２４】
蓋体５に突設されたバネ当接部５２は、蓋体５の開閉に際して板バネ６の上端６３近傍に当接する。すなわち、図６中に実線で示すように、蓋体５を閉じた状態では、バネ当接部５２の内側面５２ａが、ほぼ直立姿勢にある板バネ６の上端６３に当接する。この状態では、板バネ６が、ヒンジピン７の上下にわたってバネ当接部５２の内側面５２ａをヒンジピン７側に押圧するので、蓋体５が不用意には開かないように付勢される。
【００２５】
この状態から蓋体５を開こうとすると、図６中に二点鎖線で示すように、蓋体５の回動に伴って、バネ当接部５２の先端稜角部５２ｂが、板バネ６の上端６３近傍をヒンジピン７から離れる方向へと押し曲げる。このときの板バネ６の反発弾性により、蓋体５を開く動作に対して一旦、適度な抵抗感が生じる。
【００２６】
蓋体５が所定の角度を越えて回動し、バネ当接部５２の先端稜角部５２ｂがヒンジピン７よりも上方まで跳ね上がると、板バネ６の上端６３近傍はヒンジピン７側へ復帰しながら、蓋体５をさらに開く方向へと付勢する。そして、図６中に一点鎖線で示すように、蓋体５が十分に開くと、バネ当接部５２の先端面５２ｃが板バネ６の上端６３に沿う角度になり、その姿勢を保つようにして板バネ６がバネ当接部５２の先端面５２ｃをヒンジピン７側へ押圧する。こうして、蓋体５が開いた状態も、板バネ６の適度な反発弾性によって保持される。なお、例示形態では、バネ当接部５２の先端稜角部５２ｂの角度（バネ当接部５２の内側面５２ａと先端面５２ｃとのなす角度）を約８０°に設定して、蓋体５が約１００°回動するように構成しているが、これらの角度設定はケースの全体形状等に応じて適宜調整されればよい。
【００２７】
上述のとおり、本考案に係るライター用ケース３は、ケース本体４におけるヒンジ側の端壁４１に沿って板バネ６を装着し、この板バネ６を蓋体５に突設したバネ当接部５２に押し当てて蓋体５を閉方向及び開方向に付勢する、という機構によって蓋体５の開閉操作を実現するものである。したがって、従来のライター用ケースに比べてヒンジ周りの機構が簡素化され、板バネ自体の加工やケースへの固着も容易になる。なお、上述の実施形態は一例であって、前記機構の基本的構成を逸脱しない限り、本考案の実施形態は適宜、改変可能である。また、本考案に係るライター用ケースを、燃料オイル充填式以外のライターに対して適用することも、もちろん可能である。
【符号の説明】
【００２８】
１  ライター
２  内部ユニット
３  ライター用ケース
４  ケース本体
４１  端壁
４２  収納凹部
４３  バネ装着溝
４５  仕切部
５  蓋体
５２  バネ当接部
５２ａ  内側面
５２ｂ  先端稜角部
５２ｃ  先端面
６  板バネ
６１  折返部
６２  屈曲部
７  ヒンジピン（ヒンジ）
【図１】
0003156153.tif 000003
【図２】
0003156153.tif 000004
【図３】
0003156153.tif 000005
【図４】
0003156153.tif 000006
【図５】
0003156153.tif 000007
【図６】
0003156153.tif 000008
【図７】
0003156153.tif 000009